(57)【要約】【課題】  ディスプレイのグループパラメータの読み取りと改修の方法の提供。【解決手段】  ディスプレイのグループパラメータファイルを読み取り並びに解析して対応する表示データを取得し、ユーザーインターフェースにより該表示データ及びその説明を表示し、ユーザーにグループパラメータに含まれる意義を了解させ、並びにユーザーがグループパラメータに対して改修を行なうのを許可し、並びに改修したグループパラメータをディスプレイのメモリに保存し、ディスプレイのグループパラメータを更新し、新たなグループパラメータに対応するディスプレイドライバを発生する。コンピュータをリセットする時、新たなディスプレイドライバをロードしてディスプレイを駆動する。【選択図】        図４
2005055856.tif 000002
【特許請求の範囲】
【請求項１】
（Ａ）ディスプレイの一組のグループパラメータを読み取るステップ、
（Ｂ）該一組のグループパラメータの関係する部分のグループパラメータを結合させるステップ、
（Ｃ）該一組のグループパラメータに対して解析を行ない、一組の表示パラメータを取得するステップ、
（Ｄ）該一組のグループパラメータ、該一組の表示パラメータ、及び該一組の表示パラメータに対応する説明をユーザーインターフェースに出力するステップ、
（Ｅ）該一組の表示パラメータに対して改修を行う場合、改修した一組の表示パラメータを改修した一組のグループパラメータに変換し、ディスプレイに保存するステップ、
（Ｆ）ディスプレイのドライバを更新したい場合、改修した一組のグループパラメータにより新たなディスプレイドライバを発生するステップ、
以上のステップを具え、そのうち、該一組の表示パラメータを改修した時、新たなディスプレイドライバがオペレーションシステムによるロードに供され、正確にディスプレイを駆動することを特徴とする、ディスプレイのグループパラメータの読み取りと改修の方法。
【請求項２】
一組のグループパラメータ、一組の表示パラメータ、及び該一組のグループパラメータに対応する説明を保存して一組のグループパラメータ説明ファイルとなすステップを具えたことを特徴とする、請求項１記載のディスプレイのグループパラメータの読み取りと改修の方法。
【請求項３】
一組のグループパラメータ及び改修した一組のグループパラメータをディスプレイのメモリに保存することを特徴とする、請求項１記載のディスプレイのグループパラメータの読み取りと改修の方法。
【請求項４】
（Ｄ）のステップにおいて、関係する部分のグループパラメータを特定の色彩で表示することを特徴とする、請求項１記載のディスプレイのグループパラメータの読み取りと改修の方法。
【請求項５】
一組のグループパラメータはＥＤＩＤ（Ｅｘｔｅｎｄｅｄ  Ｄｉｓｐｌａｙ  Ｉｄｅｎｔｉｆｉｃａｔｉｏｎ  Ｄａｔａ  ｓｔａｎｄａｒｄ）のフォーマットに符合することを特徴とする、請求項１記載のディスプレイのグループパラメータの読み取りと改修の方法。
【発明の詳細な説明】
【技術分野】
【０００１】
本発明はディスプレイのグループパラメータの読み取りと改修の方法に関する。
【背景技術】
【０００２】
図１に示されるように、ディスプレイ１０はグラフィックカード２０によりコンピュータ装置３０に連結され、並びにデータ通信を行ない、こうしてディスプレイ１０はコンピュータ装置３０の出力する表示データに反応することができる。そのうち、ディスプレイ１０内部にはメモリ１２が設置され、それはディスプレイ１０のグループパラメータを保存し、その内容は、メーカー名、製品番号、最大水平サイズ、及び最大垂直サイズ等のグループパラメータを含み、そのデータサイズの総計は１２８バイトとされ、このほか、２５６バイトのものもある。
【０００３】
コンピュータ装置３０が起動される時、コンピュータ装置３０のオペレーションシステムはディスプレイ１０のグループパラメータを読み取り、並びにグループパラメータの対比を行ない、もしグループパラメータが符合すればオペレーションシステムは規定のグループパラメータにより表示データをグラフィックカード２０に出力し、さらにグラフィックカード２０が規定の駆動方式により、表示データをディスプレイ１０に出力し並びにこれを表示させる。ユーザーがディスプレイ１０を更新する時、コンピュータ装置３０は新たなディスプレイ１０のグループパラメータを有さないため、コンピュータ装置３０のオペレーションシステムが新たなディスプレイ１０に対応する新たなディスプレイドライバを要求し、新たなディスプレイ１０の新たなグループパラメータを取得する。こうして、オペレーションシステムは更新したディスプレイドライバにより表示データをグラフィックカード２０に出力し、さらにグラフィックカード２０が表示データをディスプレイ１０に出力しこれを表示させる。
【０００４】
しかし、一般にディスプレイ１０のグループパラメータはメーカーにより設定され、且つそのグループパラメータは一群の数字（或いは一般のユーザーには理解できないコード）で組成され、図２及び図３に示されるようであり、オペレーションシステムが異なると（例えばウインドウス（登録商標）バージョンのオペレーションシステム）下で、グループパラメータの保存の位置は容易に探し出せず、且つユーザーは直接その内容を閲覧することができず、さらにその設定に対して変更を行なうことはできない。しかし、一部の特定の人、例えばモニタ試験者、研究開発者、或いは修理員などは、グループパラメータを変更できない状態でモニタの試験を行なうのは作業上の問題を形成する。また、一部の特定の人がグループパラメータを変更したい時も、その要求を満足させられる適当な変更方法がない。このように、ディスプレイのグループパラメータの読み取りと改修の領域において、上述のような欠点がある。
【発明の開示】
【発明が解決しようとする課題】
【０００５】
本発明の主要な目的は、一種のディスプレイのグループパラメータの読み取りと改修の方法を提供することにあり、それはグループパラメータに対して解析を行ないユーザーがその内容を了解できるようにすると共にグループパラメータを改修できるようにする方法であるものとする。
【０００６】
本発明のもう一つの目的は、一種のディスプレイのグループパラメータの読み取りと改修の方法を提供することにあり、それは改修後のグループパラメータにより新たなディスプレイドライバを発生し、オペレーションシステムのロードに供する方法であるものとする。
【０００７】
本発明のさらにもう一つの目的は、一種のディスプレイのグループパラメータの読み取りと改修の方法を提供することにあり、それは、グループパラメータに対して解析を行ない、その内容及び説明を文字ファイルとして出力し、ユーザーの閲覧に供する方法であるものとする。
【課題を解決するための手段】
【０００８】
請求項１の発明は、（Ａ）ディスプレイの一組のグループパラメータを読み取るステップ、
（Ｂ）該一組のグループパラメータの関係する部分のグループパラメータを結合させるステップ、
（Ｃ）該一組のグループパラメータに対して解析を行ない、一組の表示パラメータを取得するステップ、
（Ｄ）該一組のグループパラメータ、該一組の表示パラメータ、及び該一組の表示パラメータに対応する説明をユーザーインターフェースに出力するステップ、
（Ｅ）該一組の表示パラメータに対して改修を行う場合、改修した一組の表示パラメータを改修した一組のグループパラメータに変換し、ディスプレイに保存するステップ、
（Ｆ）ディスプレイのドライバを更新したい場合、改修した一組のグループパラメータにより新たなディスプレイドライバを発生するステップ、
以上のステップを具え、そのうち、該一組の表示パラメータを改修した時、新たなディスプレイドライバがオペレーションシステムによるロードに供され、正確にディスプレイを駆動することを特徴とする、ディスプレイのグループパラメータの読み取りと改修の方法としている。
請求項２の発明は、一組のグループパラメータ、一組の表示パラメータ、及び該一組のグループパラメータに対応する説明を保存して一組のグループパラメータ説明ファイルとなすステップを具えたことを特徴とする、請求項１記載のディスプレイのグループパラメータの読み取りと改修の方法としている。
請求項３の発明は、一組のグループパラメータ及び改修した一組のグループパラメータをディスプレイのメモリに保存することを特徴とする、請求項１記載のディスプレイのグループパラメータの読み取りと改修の方法としている。
請求項４の発明は、（Ｄ）のステップにおいて、関係する部分のグループパラメータを特定の色彩で表示することを特徴とする、請求項１記載のディスプレイのグループパラメータの読み取りと改修の方法としている。
請求項５の発明は、一組のグループパラメータはＥＤＩＤ（Ｅｘｔｅｎｄｅｄ  Ｄｉｓｐｌａｙ  Ｉｄｅｎｔｉｆｉｃａｔｉｏｎ  Ｄａｔａ  ｓｔａｎｄａｒｄ）のフォーマットに符合することを特徴とする、請求項１記載のディスプレイのグループパラメータの読み取りと改修の方法としている。
【発明の効果】
【０００９】
本発明のディスプレイのグループパラメータの読み取りと改修の方法は、ディスプレイのグループパラメータファイルを読み取り並びに解析して対応する表示データを取得し、ユーザーインターフェースにより該表示データ及びその説明を表示し、ユーザーにグループパラメータに含まれる意義を了解させ、並びにユーザーがグループパラメータに対して改修を行なうのを許可し、並びに改修したグループパラメータをディスプレイのメモリに保存し、ディスプレイのグループパラメータを更新し、新たなグループパラメータに対応するディスプレイドライバを発生する。コンピュータをリセットする時、新たなディスプレイドライバをロードしてディスプレイを駆動する。
【発明を実施するための最良の形態】
【００１０】
本発明のディスプレイのグループパラメータの読み取りと改修の方法は、以下のステップを具えている。即ち、
（Ａ）ディスプレイの一組のグループパラメータを読み取るステップ、
（Ｂ）該一組のグループパラメータの関係する部分のグループパラメータを結合させるステップ、
（Ｃ）該一組のグループパラメータに対して解析を行ない、一組の表示パラメータを取得するステップ、
（Ｄ）該一組のグループパラメータ、該一組の表示パラメータ、及び該一組の表示パラメータに対応する説明をユーザーインターフェースに出力するステップ、
（Ｅ）該一組の表示パラメータに対して改修を行う場合、改修した一組の表示パラメータを改修した一組のグループパラメータに変換し、ディスプレイに保存するステップ、
（Ｆ）ディスプレイのドライバを更新したい場合、改修した一組のグループパラメータにより新たなディスプレイドライバを発生するステップ、
以上のステップを具え、そのうち、該一組の表示パラメータを改修した時、新たなディスプレイドライバがオペレーションシステムによるロードに供され、正確にディスプレイを駆動する。
【００１１】
ユーザーインターフェースはユーザーに表示パラメータを了解させるだけでなく、ユーザーがそれに対して改修を行なうのを許可し、並びに改修した結果をディスプレイのメモリに保存する。このほか、ユーザーインターフェースが改修後の表示パラメータに対応する新たなディスプレイドライバを発生してオペレーションシステムによるロードに供し、これによりグループパラメータの読み取りと改修の目的を達成する。
【実施例１】
【００１２】
図４に示されるように、本発明のディスプレイのグループパラメータの読み取りと改修の方法によると、ソフトウエアプログラムによりディスプレイ１０のメモリ１２に保存されたグループパラメータを読み取り、並びにユーザーインターフェースに表示し、ユーザーがそれに対して改修、保存を行なえるようにし、及び新たなディスプレイドライバを発生し、グループパラメータ更新を達成する目的を達成する。本発明の方法は以下のステップを具えている。即ち、
ステップＳ４０：  ソフトウエアプログラムを実行する。
ステップＳ４２：  ディスプレイ１０の一組のグループパラメータを読み取る。ディスプレイ１０の表示方式はその保存するグループパラメータにより決定されるため、オペレーションシステムはメモリ１２に保存されたグループパラメータを読み取り、並びに適当な改修を行ない、並びに改修したグループパラメータをメモリ１２に戻すことでディスプレイ１０の表示方式を改変できる。そのうち、一組のグループパラメータのサイズは実際の必要により決定され、１２８或いは２５６バイトとされる。
ステップＳ４４：  関係するグループパラメータを接続する。一部のグループパラメータは相互間に関連性を具備し、このため関係するグループパラメータを接続し、結合して一つのグループとなす。このほか、特定の色を各グループに配分することで、グループ区分をより明確とすることができる。
ステップＳ４６：  各グループパラメータに対して解析を行ない、表示パラメータを取得する。グループパラメータの設定は、規定の規格により、例えばＥＤＩＤ（Ｅｘｔｅｎｄｅｄ  Ｄｉｓｐｌａｙ  Ｉｄｅｎｔｉｆｉｃａｔｉｏｎ  Ｄａｔａ  ｓｔａｎｄａｒｄ）の規格によるが、グループパラメータは一群の数字で組成されてユーザーは直接閲覧できないため、グループパラメータに対する解析（ｔｒａｎｓｌａｔｅ）を行ない、ユーザーが閲覧できる表示パラメータを取得し並びにユーザーインターフェースに表示することが必要となる。ステップＳ４４の結果により、関係する表示パラメータもまた接続される。
ステップＳ４８：  グループパラメータ、表示パラメータ、及び表示パラメータに対応する説明をユーザーインターフェースに出力する。即ち、グループパラメータ、及びステップＳ４６で取得した表示パラメータを出力するほか、このグループパラメータに対応する説明を出力する。図５及び図６に示されるように、ユーザーインターフェースは該グループパラメータに対応する表示パラメータを表示するだけでなく、関係するグループパラメータを接続し、並びに関係するグループパラメータに対応する説明を表示する。例えば、グループパラメータの第００から０７バイトは固定フォーマットで、その説明はヘッド（意義無し）で、並びに緑ベース（或いは反対斜線）黒字でこのグループを表示し、グループパラメータの第０８から１１バイト及びその説明はそれぞれメーカーの名称（第０８から０９バイト）、ディスプレイのメーカーコード（第０Ａから０Ｂバイト）、シリアルコード（第０Ｃから０Ｆバイト）、製造サイクル（第１０バイト）及び製造年（第１１バシト）で、並びに青ベース（或いは斜線）黒字でこのグループを表示する。グループパラメータの間は独立して存在可能であり、ユーザーが一部のグループパラメータに対して改修を行ないたい時、例えばディスプレイの製造コードを改修したい時は、ユーザーインターフェースは緑ベース（或いは点状）黒字で現在改修中のグループパラメータを表示する。こうしてユーザーは更に明確に改修するグループパラメータを範囲を了解できる。そのうち、上述のバイトは１６進法で表示されるが、周知のとおり、適当な変換により１０進法でグループパラメータを表示することが可能である。
ステップＳ５０：  表示パラメータに対して改修を行なうかを判断し、もし成立すればステップＳ５２を実行し、不成立であればステップＳ５６を実行する。
ステップＳ５２：  改修した表示パラメータを改修したグループパラメータに変換する。
ステップＳ５４：  改修したグループパラメータをディスプレイ１０のメモリ１２に保存する。
ステップＳ５６：  ディスプレイドライバを発生するかを判断し、もし成立すればステップＳ５８を実行し、不成立ならばステップＳ６０を実行する。
ステップＳ５８：  改修したグループパラメータにより新たなディスプレイドライバを発生する。メモリ１２の保存するグループパラメータは改修したグループパラメータであり、先のグループパラメータとは異なるため、ゆえにコンピュータ装置３０のオペレーションシステムは正常にディスプレイ１０を駆動できない。ユーザーインターフェースは改修したグループパラメータにより新たなディスプレイドライバを発生してオペレーションシステムによるロードに供する。オペレーションシステムが新たなディスプレイドライバをロードした後、コンピュータ装置３０は正常にディスプレイ１０を駆動できる。そのうち、新たなディスプレイドライバは図７に示されるように、その内容がオペレーションシステムにより定められる。
ステップＳ６０：  グループパラメータ説明ファイルを発生するかを判断し、成立すればステップＳ６２を実行し、不成立であればステップＳ６４を実行する。
ステップＳ６２：  改修したグループパラメータによりグループパラメータ説明ファイルを発生する。図８に示されるように、ユーザーインターフェースはディスプレイ１０のグループパラメータ及びそれに対応する説明を出力してグループパラメータ説明ファイルとなし、ユーザーの閲覧に供する。
ステップＳ６４：  ソフトウエアプログラムを終了する。
【００１３】
コンピュータ装置３０が起動される時、ユーザーは本発明のソフトウエアプログラムによりディスプレイ１０のグループパラメータを読み取り、並びにユーザーインターフェース上でそれに対して改修を行なうことができ、並びに改修したグループパラメータをメモリ１２に保存でき、及び新たなディスプレイドライバを発生させることができる。コンピュータ装置３０がリセットされる時、ディスプレイ１０のグループパラメータとコンピュータ装置３０に保存されたグループパラメータが符合しなければ、オペレーションシステムは新たなディスプレイドライバをロードすることを要求する。ユーザーが新たなディスプレイドライバをオペレーションシステムに提供する時、オペレーションシステムは新たなディスプレイドライバをロードし並びにこれによりディスプレイ１０を駆動する。こうして、ユーザーがディスプレイ１０のグループパラメータを改修する目的を達成すると共に、新たなディスプレイドライバを提供して正確にディスプレイ１０を駆動する目的を達成する。そのうち、コンピュータ装置３０はパーソナルコンピュータ、サーバー、或いはポータブルコンピュータとされうる。
【００１４】
以上の実施例は本発明の実施範囲を限定するものではなく、本発明に基づきなしうる細部の修飾或いは改変は、いずれも本発明の請求範囲に属するものとする。
【図面の簡単な説明】
【００１５】
【図１】周知のディスプレイ、グラフィックカード、及びコンピュータ装置の表示図
【図２】ウインドウス（登録商標）２００、ＸＰオペレーションシステムのグループパラメータの表示図である。
【図３】ウインドウス（登録商標）９５、９８、及びＭＥオペレーションシステムの表示図である。
【図４】本発明のディスプレイのグループパラメータの読み取りと改修の方法のフローチャートである。
【図５】本発明のユーザーインターフェースの表示図である。
【図６】本発明のもう一つのユーザーインターフェースの表示図である。
【図７】本発明の新たなディスプレイドライバの表示図である。
【図８】本発明のグループパラメータ説明ファイルの表示図である。
【符号の説明】
【００１６】
１０  ディスプレイ              １２  メモリ
２０  グラフィックカード        ３０  コンピュータ装置
【図１】
2005055856.tif 000003
【図４】
2005055856.tif 000004
【図５】
2005055856.tif 000005
【図６】
2005055856.tif 000006
【図２】
2005055856.tif 000007
【図３】
2005055856.tif 000008
【図７】
2005055856.tif 000009
【図８】
2005055856.tif 000010